【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  自機の位置情報を取得することができる通信端末装置であって、基地局装置との通信における誤りの程度の情報、受信品質の情報、前記基地局装置と前記通信端末との位置関係の情報、あるいは前記基地局装置の容量情報のうちの少なくとも一つの情報と、前記自機の位置情報と、を併用することにより、前記基地局との間の通信状態がより良好となることが期待される方向の情報を取得する方向情報取得手段と、取得された前記方向の情報を表示する表示手段とを有することを特徴とする通信端末装置。
【請求項２】  受信データの受信品質を測定する受信品質測定手段と、前記受信品質を記憶する受信品質記憶手段と、外部から位置情報を取得する位置情報取得手段と、前記位置情報を記憶する位置情報記憶手段と、前記記憶された過去の受信品質と前記記憶された過去の位置情報から移動する方向を算出する移動方向算出手段と、前記移動方向を指示する移動方向指示手段とを具備し、前記移動方向算出手段は、過去に受信品質が良かったときの位置を移動する方向と算出することを特徴とする通信端末装置。
【請求項３】  外部から位置情報を取得する位置情報取得手段と、外部から地図情報を取得する地図情報取得手段と、外部から通信端末装置と通信を行っている基地局装置の位置情報を取得する基地局装置位置情報取得手段と、前記位置情報と前記地図情報と前記基地局装置の位置情報から移動する方向を算出する移動方向算出手段と、前記移動方向を指示する移動方向指示手段とを具備し、前記移動方向算出手段は、基地局装置の方向を移動する方向と算出することを特徴とする通信端末装置。
【請求項４】  外部から位置情報を取得する位置情報取得手段と、外部から地図情報を取得する地図情報取得手段と、外部から受信品質の分布情報を取得する受信品質分布情報取得手段と、前記位置情報と前記地図情報と前記受信品質の分布情報から移動する方向を算出する移動方向算出手段と、前記移動方向を指示する移動方向指示手段とを具備し、前記移動方向算出手段は、受信品質の良い方向を移動する方向と算出することを特徴とする通信端末装置。
【請求項５】  前記移動方向指示手段は、通信端末装置の表示部に方向を示す矢印で指示する、または通信端末装置の表示部に地図を示し、前記地図上に移動する方向を指示する、または通信端末装置の表示部に文字情報で指示する、または音声で指示することを特徴とする請求項２から請求項４いずれかに記載の通信端末装置。
【請求項６】  無線通信システムに用いられる基地局装置であって、自機の位置情報を取得することができる通信端末装置から送られてくる前記位置情報と、前記通信端末装置との間の通信における誤りの程度の情報、受信品質の情報、前記基地局装置と前記通信端末との位置関係の情報、あるいは前記基地局装置の容量情報のうちの少なくとも一つの情報とを併用することにより、前記通信端末装置における通信状態がより良好となることが期待される方向の情報を取得する方向情報取得手段と、取得された前記方向の情報を前記通信端末装置に無線送信する手段と、を有することを特徴とする基地局装置。
【請求項７】  自機の位置検出機能を有する通信端末装置の、通信状態がより良好となることが期待される移動方向を検出する方法であって、前記通信端末装置が、前記自機の位置検出機能を用いて位置情報を取得するステップと、取得された前記位置情報と、前記通信端末装置における誤りの程度の情報、受信品質の情報、基地局装置と通信端末装置との位置関係の情報あるいは基地局装置の容量情報のうちの少なくとも一つの情報と、を併用することにより、前記通信端末装置における通信状態がより良好となることが期待される方向を検出するステップと、を有することを特徴とする移動方向検出方法。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】
【手続補正４３】
【補正対象書類名】明細書
【補正対象項目名】００５３
【補正方法】削除
【補正の内容】